(57)【要約】【課題】  戸外に設置された冷凍用コンテナや冷蔵用コンテナ等における物品の出し入れが、雨天等の場合にも支障なく行えるようにする。【解決手段】  ひさしプレート２の縁部がコンテナ１００の扉１０２側の天井縁部に沿って取付けられ、扉１０２が開放された際の物品の出し入れスペース２００上をひさしプレート２が覆うように設けられるコンテナ用ひさし装置。【選択図】図１
2019189348.tif 000002
【特許請求の範囲】
【請求項１】
ひさしプレートの縁部がコンテナの扉側の天井縁部に沿って取付けられ、前記扉が開放された際の物品の出し入れスペース上を前記ひさしプレートが覆うように設けられてなることを特徴とするコンテナ用ひさし装置。
【請求項２】
前記ひさしプレートに補強プレートが積層配置されている請求項１記載のコンテナ用ひさし装置。
【請求項３】
前記コンテナにある吊り下げ用孔を使用して取付けられる請求項１記載のコンテナ用ひさし装置。
【請求項４】
前記ひさしプレートの縁部近傍に支持ポールが立設され、その支持ポールの上部とひさしプレートの先端側が連結支持具で連結される請求項１記載のコンテナ用ひさし装置。
【請求項５】
前記連結支持具がターンバックルである請求項４記載のコンテナ用ひさし装置。
【発明の詳細な説明】
【技術分野】
【０００１】  この発明は、冷凍用コンテナ、冷蔵用コンテナ等に用いられるひさし装置に関する。
【背景技術】
【０００２】  最近、飲食業等においては冷凍用コンテナや冷蔵用コンテナを貯蔵庫として使用している場合がある。それらコンテナを屋外に設置すると、雨天の日にはコンテナからの食品の出し入れの際に作業者、食品が濡れる問題がある
【発明の概念】
【発明が解決しようとする課題】
【０００３】  この発明では、戸外に設置された冷凍用コンテナや冷蔵用コンテナ等における物品の出し入れが、雨天の場合にも支障なく行えるようにすることを目的とする。
【課題を解決するための手段】
【０００４】  この発明では、ひさしプレートの縁部がコンテナの扉側の天井縁部に沿って取付けられ、前記扉が開放された際の物品の出し入れスペース上を前記ひさしプレートが覆うように設けられてなることを特徴とするコンテナ用ひさし装置を提供する。
【０００５】  上記構成のコンテナ用ひさし装置を用いることで、コンテナの物品の出し入れスペース上をひさしプレートが覆うので、雨天においても作業者が雨水に濡れることなく、濡らすことなく物品の出し入れが行われる。
【０００６】  ひさしプレートに補強プレートが積層配置されている構成とされることで、ひさしプレートとしてアルミニウム等の軽量材を使用した場合にも安定した構造が得られる。
【０００７】  コンテナにある吊り下げ用孔を使用して取付けられる構成とすることで、コンテナ用ひさし装置の取付けが容易に行える。
【０００８】    ひさしプレートのコンテナに取り付けられる縁部近傍に支持ポールが立設され、その支持ポールの上部とひさしプレートの先端側が連結支持具で連結される構成とすることで、ひさしプレートが安定支持される。
【０００９】  上記連結支持具がターンバックルとされることで、その長さが短くなるよう締め付け操作されることによりひさしプレートは強固に支持され、さらに、締め付け操作されることによりひさしプレート前端側が引き上げられ、ひさしプレートは前端側が若干高くなるように傾斜配置される。これにより、ひさしプレート上の雨水は後端側に導かれて前端側より落下しない。
【発明の効果】
【００１０】  この発明によれば、戸外に設置された冷凍用コンテナや冷蔵用コンテナ等における物品の出し入れが雨天の場合にも支障なく行えるようになる。
【図面の簡単な説明】
【００１１】
【図１】  この発明のコンテナ用ひさし装置を使用する冷蔵コンテナの斜視図
【図２】  この発明のコンテナ用ひさし装置を使用する冷蔵コンテナの要部斜視図
【図３】  この発明のコンテナ用ひさし装置の取付け説明図
【図４】  この発明のコンテナ用ひさし装置で使用する取付け部材の上面側斜視図
【図５】  この発明のコンテナ用ひさし装置で使用する取付け部材の下面側斜視図
【図６】  この発明のコンテナ用ひさし装置で使用する取付け部材の平面図
【図７】  この発明のコンテナ用ひさし装置の取付け断面構成図
【図８】  この発明のコンテナ用ひさし装置で使用する固定具の上面側斜視図
【図９】  この発明のコンテナ用ひさし装置で使用する固定具の下面側斜視図
【発明を実施するための形態】
【００１２】  図１はこの発明のコンテナ用ひさし装置が取付けられた冷蔵コンテナの斜視図、図２は同要部斜視図、図３はコンテナ用ひさし装置の取付け説明図である。
【００１３】  コンテナ用ひさし装置１はコンテナ１００の扉１０２側の上部に外方に突出するように取付けられている。このようにコンテナ用ひさし装置１が設けられることで、その下方の扉１０２が開放された際の物品の出し入れスペース２００において、雨天の場合にも作業者が濡れることなく、また、濡らすことなく物品の出し入れ作業が行われる。
【００１４】  コンテナ用ひさし装置１において、２はアルミニウム製長方形のひさしプレートであり、その前側縁部には所定巾を持つ上斜め方向への折れ曲がり縁部３を備えるとともに後側縁部には上方への立ち上がり縁部５を備え、さらに、両側部上それぞれには補強プレート７のそれぞれが溶接により積層固着されている。補強プレート７の外側縁には上方への立ち上がり縁部９を備え、前端側近傍には係止金具１０が取付けられ、さらに、後端側上には取付け部材１１が取付けられている。また、補強プレート７の後部には一対の位置決め穴１２と取付け穴１４がひさしプレート２を連通するように設けられている。ひさしプレート２はアルミニウム製で軽量であることで取り扱いが容易になされるとともに、その取付け支持構造もそれほど強固とすることが要求されない。一方、ひさしプレート２は補強プレート７が一体に積層されていることで歪みや湾曲が生じることなく安定して使用される。
【００１５】  取付け部材１１はステンレス製で、図４、図５、図６に示すように、その前端側に支持ポール１３が溶接により立設され、支持ポール１３は一対の補強片１５で補強され、支持ポール１３の上部前面には係止部１８が設けられている。取付け部材１１の後端側には一対の位置決めピン１６が下方に突出するように溶接固定され、支持ポール１３と位置決めピン１６との間に取付け穴１７が設けられている。１９はターンバックルであり、先端側が補強プレート７の係止金具１０に後端側が支持ポール１３の係止部１８に係止されて設けられている。
【００１６】  上記のように支持ポール１３にターンバックル１９を介して先端側が支持されることでひさしプレート２は安定するとともに、ターンバックル１９がその長さが短くなるよう締め付け操作されることでひさしプレート２は強固に支持され、さらに、締め付け操作がなされることでひさしプレート２の前端側が引き上げられてひさしプレート２は前端側が若干高くなるように傾斜配置される。これにより、ひさしプレート２上の雨水は後端側に導かれる。ひさしプレート２が前側縁部に折れ曲がり縁部３を備えるとともに後側縁部に立ち上がり縁部５を備え、さらに補強プレート７が立ち上がり縁部９を備えることで、それらの位置においてひさしプレート２上から雨水は落下しない。ひさしプレート２上を後端側に導かれた雨水は、ひさしプレート２後部両側の立ち上がり縁部５それぞれと立ち上がり縁部９それぞれの端部間５０位置それぞれから側方に落下し、これによりひさしプレート２の下方で作業する人、また、扱われる物品に雨水が当たることが回避されている。
【００１７】  以下、コンテナ用ひさし装置１のコンテナ１００への取付け構成について、図７を参照して説明する。コンテナ１００の扉１０２側の天井縁部の両角部に位置する角部材１０４には、後面、上面、側面のそれぞれに孔１０５が設けられている。これら孔１０５はコンテナ１００の移動搬送に際して吊り下げ係止等のために設けられている。側面に位置する孔１０５に図８、図９に示す金属製の固定具２０を挿し入れる。固定具２０は中央面部に固定穴２２を備え、その固定穴２２の下面にはナット部材２４が溶接固定されている。固定具２０を側方から孔１０５に挿し入れた状態において、一対の位置決めピン１６のそれぞれを一対の位置決め穴１２に嵌入して補強プレート７上に取付け部材１１を位置決め配置する。次に固定ボルト２６を取付け部材１１、補強プレート７それぞれの合致する取付け穴１７、１４、さらに、角部材１０４の上面に位置する孔１０５、コンテナ枠部１０８の孔１０９それぞれを通して固定具２０の固定穴２２に挿し入れ、ナット部材２４に螺入固定する。
【００１８】  上記のように、コンテナ用ひさし装置１は従来からコンテナ１００に備えられる角部材１０４の孔１０５に挿し入れられる固定具２０を使用して容易に取付けられる。また、取付け部材１１とコンテナ１００の角部材１０４間にひさしプレート２が挟持されることにより強固に安定して取付けられる。
【符号の説明】
【００１９】  １    コンテナ用ひさし装置
２    ひさしプレート
１１  取付け部材
２０  固定具
１００  コンテナ
２００  物品の出し入れスペース
【図１】
2019189348.tif 000003
【図２】
2019189348.tif 000004
【図３】
2019189348.tif 000005
【図４】
2019189348.tif 000006
【図５】
2019189348.tif 000007
【図６】
2019189348.tif 000008
【図７】
2019189348.tif 000009
【図８】
2019189348.tif 000010
【図９】
2019189348.tif 000011